(57)【要約】【課題】廃棄した場合でも環境上の問題が生じることが少なくてすみ、第三者が不正にポケット内から収納物を取り出した場合には痕跡が残るようにしたポケットファイルを提供する。【解決手段】シート状の収納物を収納するポケットを有し、略同一サイズの紙製のシートが重ね合わされ、前記２枚のシートの間を、格子状に塗布された接着剤で接着されたことで形成された複数の収納部を有し、前記２枚のシートの一方のシートに、前記複数の収納部毎に該収納部内にシート状の収納物を差し込むことが可能な大きさの切り込み部が平行な状態で２箇所に設けられ、前記２箇所に設けられた切り込み部のうち、一方の切り込み部が、前記収納部にシート状の収納物を入れた場合に該シート状の収納物の一部が収納できない状態となり外部に露出する位置に設けられ、更に、他方の切り込み部が、前記収納部内にシート状の収納物を完全に収納可能な位置に設けられている。【選択図】        図１
2012000925.tif 000002
【特許請求の範囲】
【請求項１】
シート状の収納物を収納するポケットを有するポケットファイルであって、
略同一サイズの紙製のシートが重ね合わされ、
前記２枚のシートの間を、格子状に塗布された接着剤で接着されたことで形成された複数の収納部を有し、
前記２枚のシートの一方のシートに、前記複数の収納部毎に該収納部内に前記シート状の収納物を差し込むことが可能な大きさの切り込み部が平行な状態で２箇所に設けられ、
前記２箇所に設けられた切り込み部のうち、一方の切り込み部が、前記収納部に前記シート状の収納物を入れた場合に該シート状の収納物の一部が収納できない状態となり外部に露出する位置に設けられ、更に、他方の切り込み部が、前記収納部内に前記シート状の収納物を完全に収納可能な位置に設けられていることを特徴とするポケットファイル。
【請求項２】
前記シートの一方のシートが、透明性又は半透明性を有するシート基材から構成され、前記のシートが紙製であることを特徴とする請求項１記載のポケットファイル。
【発明の詳細な説明】
【技術分野】
【０００１】
本発明は、名刺、写真、カードなどのシート状の収納物を収納するポケットを有するポケットファイルに関する。
【背景技術】
【０００２】
従来、名刺、写真、カードなどのシート状を整理して保管する際に使用するための、それら収納物を収納するためのポケットを有するポケットファイルが用いられている。（例えば、特許文献１〜３、参照）
これらのポケットファイルは、一般的に透明フィルムなどの合成樹脂フィルムから構成されている
【０００３】
しかしながら、従来の合成樹脂フィルムを使用したポケットファイルでは、それらを廃棄した場合に合成樹脂フィルムであることから環境上の問題が生じるという問題がある。
また、それらの合成樹脂フィルムを使用したポケットファイルでは、収納物をポケット内に入れたり、ポケット内に収納した収納物を出したりした場合でも、簡単にポケットの部分が壊れることがないという利点があるものの、第三者が不正にポケットファイル内から収納物を簡単に取り出したり、再度入れたりすることができるので、他人に見せたくない収納物でも本人が知らないうちに取り出して盗み見されたり、収納されたカードなど使用されたりしてしまうという危険性があるという問題がある。
【先行技術文献】
【特許文献】
【０００４】
【特許文献１】特開平８−１１２９８８号公報
【特許文献２】実用新案登録第３０３１９８５号公報
【特許文献３】実開昭６３−１２４１７４号公報
【発明の概要】
【発明が解決しようとする課題】
【０００５】
そこで、本発明は、廃棄した場合でも環境上の問題が生じることが少なくてすみ、更に、第三者が不正にポケット内から収納物を簡単に取り出すことができないようにすると共に、第三者が不正にポケット内から収納物を取り出した場合には痕跡が残るようにすることで、その不正行為があったことを確認できるようにしたポケットファイルを提供する。
【課題を解決するための手段】
【０００６】
本発明のポケットファイルは、シート状の収納物を収納するポケットを有するポケットファイルであって、略同一サイズの紙製のシートが重ね合わされ、前記２枚のシートの間を、格子状に塗布された接着剤で接着されたことで形成された複数の収納部を有し、前記２枚のシートの一方のシートに、前記複数の収納部毎に該収納部内に前記シート状の収納物を差し込むことが可能な大きさの切り込み部が平行な状態で２箇所に設けられ、前記２箇所に設けられた切り込み部のうち、一方の切り込み部が、前記収納部に前記シート状の収納物を入れた場合に該シート状の収納物の一部が収納できない状態となり外部に露出する位置に設けられ、更に、他方の切り込み部が、前記収納部内に前記シート状の収納物を完全に収納可能な位置に設けられていることを特徴とするものである。
【０００７】
また、本発明のポケットファイルは、前記シートの一方のシートが、透明性又は半透明性を有するシート基材から構成され、前記のシートが紙製であることを特徴とするものである。
【発明の効果】
【０００８】
したがって、本発明のポケットファイルは、略同一サイズの２枚の紙製のシートが重ね合わされて構成されているので、従来の合成樹脂フィルムのように廃棄した場合でも環境上の問題が生じることが少なくてすむという効果がある。
特に、第三者に見られたくないような収納物は、収納部内にシート状の収納物を完全に収納可能な位置に設けられている切り込み部から差し込んで収納することで、第三者が不正にその収納物を外部に取り出そうとしても簡単に取り出せないことで盗み見や不正使用を防止することができ、更に、無理に収納物を取り出そうとした場合には、紙製のシートの一部が破れるので、不正行為があったことを簡単に確認することができるという効果がある。
【図面の簡単な説明】
【０００９】
【図１】本発明の実施形態に係るポケットファイルの平面図である。
【図２】図１のＡ−Ａ線断面図である。
【図３】図１のＢ−Ｂ線断面図である。
【図４】本発明の実施形態に係るポケットファイルの２枚の紙製のシートを分離させた状態を示す平面図である。
【図５】本発明の実施形態に係るポケットファイルであって、切り込み部からシート状の収納物を挿し込んでいる途中の状態を示す平面図である。
【図６】本発明の実施形態に係るポケットファイルであって、切り込み部からシート状の収納物を挿し込んで収納させた状態を示す平面図である。
【発明を実施するための形態】
【００１０】
以下、本発明の実施形態に係るポケットファイルを図面に基づいて詳細に説明する。
本発明の実施形態に係るポケットファイル１は、図２及び図３に示すように、シート状の収納物を収納するための複数のポケットである収納部２を有している。
本発明のポケットファイル１は、略同一サイズの２枚の紙製のシート３ａ，３ｂが重ね合わされており、図４に示すように、前記２枚の紙製のシート３ａ，３ｂの間を、格子状に塗布された接着剤４により接着されていることで形成された複数の収納部２を有している。
これらの複数の収納部２の広さは、接着剤４の接着部分を変えることで任意に設定することができ、その複数の収納部２を同一の広さにしてもよいし、また個々の収納部２の広さを異なる広さとして設けるようにしても良い。
【００１１】
これらの２枚の紙製のシート３ａ，３ｂの一方のシートは、透明性又は半透明性を有するシート基材から構成されていることが好ましい。
特に、上記した透明性又は半透明性を有する紙製のシート３ａ，３ｂの一方のシートは、表面の外側から見た場合に、内部に収納された収納物が見えるようにするために、上側に位置するシートとなるようにすることが好ましい。
【００１２】
その２枚の紙製のシート３ａ，３ｂの一方のシート３ａには、図１に示すように、前記複数の収納部２毎に該収納部２内にシート状の収納物６ａ，６ｂを差し込むことが可能な大きさの切り込み部５ａ，５ｂが平行な状態として少なくとも２箇所に設けられている。
この切り込み部５ａ，５ｂの大きさは、収納部２に収納する予定のシート状の収納物の大きさに応じて任意に定めることができる。
また、切り込み部５ａ，５ｂは、収納部２に収納する予定のシート状の収納物の形状が円形などの場合には、曲線状など収納物の外形に合わせた形成することが好ましい。
【００１３】
前記２箇所に設けられた切り込み部５ａ，５ｂのうち、一方の切り込み部５ａが、前記収納部２に前記シート状の収納物６ｂを入れた場合に該シート状の収納物の一部が収納できない状態となり、その一部分が外部に露出する状態となるような位置に設けられている。
更に、他方の切り込み部５ｂが、前記収納部２内に前記シート状の収納物６ａを完全に収納可能な位置に設けられている。
この収納部２内にシート状の収納物６ａを完全に収納された状態とは、収納されたシート状の収納物６ａの一部分が外部に露出しないで収納される状態のことである。
【００１４】
図５及び図６には、本発明のポケットファイル１の使用方法が示されている。
まず、図５に基づいて説明すると、ポケットファイル１の個々の収納部２に何を収納するのかは使用者が自由に決めることであるが、例えば、クレジットカードやキャッシュカードなどのカードを所有している場合に、日頃は使用しない状態として保管しておき、将来いざという時だけの使用する予定のカードとか、また特に盗まれては困るような重要なカード６ａなどと、または日頃の生活で頻繁に使用する予定のカード６ｂとがあるとする。
そして、図５において、将来特別にいざという時だけに使用する予定のカード６ａについては、切り込み部５ａからカード６ａを入れ、また、日頃の生活で頻繁に使用する予定のカード６ｂは、切り込み部５ｂからカード６ｂを入れる。
【００１５】
それぞれの切り込み部から入れられたカードにおいて、切り込み部５ａから入れたカード６ａは、図６に示すように、カード６ａの全体が完全に収納部２内に収まった状態となるが、切り込み部５ｂから入れられたカード６ｂについては、切り込み部５ｂと収納部２の底辺側の接着剤４との寸法よりもカード６ｂの縦方向の寸法が少しだけ長いので、カード６ｂの上側の一部分が外部に露出した状態となる。
つまり、切り込み部５ｂから入れたカード６ｂは、露出したカード６ｂの一部分を摘んで簡単に引き出せる状態に保持されている。
【００１６】
上記のように、ポケットファイル１の使用者は、２つの切り込み部５ａ，５ｂのいずれかを自由に選択することで、収納するカードを簡単に引き出せるようにするか否かを選ぶことができるように構成されている。
【００１７】
また、本発明のポケットファイル１を構成する２枚のシートが紙製であるので、特に日頃は使用しないが、将来いざという時だけの使用や、特に盗まれては困るような重要なカード６ａについては、図６に示すように、カード６ａの全体が完全に収納部２内に収まった状態とすることができるので、第三者が無理に収納部２から取り出そうとした場合には、紙製のシート３ａが切れてしまうので、その痕跡を残すことで不正行為があったことを簡単に確認できる。
【００１８】
また、ポケットファイル１の使用者が、収納部２内に収まった状態のカード６ａを取り出して使用する場合には、紙製のシート３ａを破いてカード６ａを取り出すようにすれば簡単に取り出すことができるので、不正行為を行なう悪意の第三者にとっては収納されたカード６ａを取り出すことが難しいが、正当な使用者本人にとっては、破るだけでよいのでカード６ａを取り出す手間がかからないように構成されている。
【００１９】
上記のように、本発明のポケットファイル１は、廃棄した場合でも環境上の問題が生じることが少なくてすみ、また、特に、第三者に見られたくないような収納物については、収納部内に完全に収まる状態として収納することで、第三者が不正にその収納物を外部に取り出そうとしても簡単に取り出せないことで盗み見を防止することができ、更に、無理に収納物を取り出そうとした場合には、紙製のシートの一部が破れるので、簡単に不正行為があったことを確認することができ、更に正当な本人が取り出す場合には、簡単にシートを破いて取り出すことができるように構成されている。
【符号の説明】
【００２０】
１  ポケットファイル
２  収納部
３ａ，３ｂ  紙製のシート
４  接着剤
５ａ，５ｂ  切り込み部
６ａ，６ｂ  シート状の収納物
【図１】
2012000925.tif 000003
【図２】
2012000925.tif 000004
【図３】
2012000925.tif 000005
【図４】
2012000925.tif 000006
【図５】
2012000925.tif 000007
【図６】
2012000925.tif 000008